(57)【要約】  【課題】  レシートを用いてより多様で多量の情報を顧客に提供すること。  【解決手段】  レシート１０は、店名エリア１１、注意書きエリア１２、及び会計情報エリア１３などから構成されている。店名エリア１１には、「居酒屋三太郎」などと、店名がロゴと共に印刷されており、更に所定のウェブサイトへの接続情報が電子透かし１４にて埋め込まれている。接続情報は、例えば、ＵＲＬ（Ｕｎｉｆｏｒｍ  Ｒｅｓｏｕｒｃｅ  Ｌｏｃａｔｏｒｓ）にて構成されている。電子透かしで構成された接続情報を携帯電話内蔵のカメラで撮影すると、携帯電話は、撮影された画像データから電子透かしを抽出して接続情報を認識し、当該接続情報で指定されるウェブサイトに自動的に接続する。このように、レシートに接続情報を電子透かしにて埋め込むことにより、ウェブサイト上で多様で多量な情報を提供することができる。  【選択図】  図１
2006067482.tif 000002
【特許請求の範囲】
【請求項１】
顧客が購入した商品を特定する商品情報の入力を受け付けて会計情報を生成する会計情報生成手段と、
前記入力を受け付けた商品情報に対応づけられた、所定のサイトへの接続情報を取得する接続情報取得手段と、
前記取得した接続情報を埋め込んだ電子透かし情報を生成する電子透かし情報生成手段と、
前記生成した会計情報と、前記生成した電子透かし情報と、をレシートに印刷する会計情報印刷手段と、
を具備したことを特徴とする会計端末。
【請求項２】
前記入力を受け付けた商品情報に対応づけられた接続情報が複数ある場合、前記電子透かし情報生成手段は、当該複数の接続情報のうちの何れかを選択して電子透かし情報を生成することを特徴とする請求項１に記載の会計端末。
【請求項３】
接続情報サーバから、商品情報と対応づけられた接続情報を受信する接続情報受信手段と、
前記受信した接続情報を商品情報との対応付けと共に記憶する接続情報記憶手段と、
を具備し、
前記接続情報取得手段は、前記接続情報記憶手段から接続情報を取得することを特徴とする請求項１、又は請求項２に記載の会計端末。
【請求項４】
会計情報生成手段と、接続情報取得手段と、電子透かし情報生成手段と、会計情報印刷手段と、を備えたコンピュータにおいて、
前記会計情報生成手段によって、顧客が購入した商品を特定する商品情報の入力を受け付けて会計情報を生成する会計情報生成ステップと、
前記接続情報取得手段によって、前記入力を受け付けた商品情報に対応づけられた、所定のサイトへの接続情報を取得する接続情報取得ステップと、
前記電子透かし情報生成手段によって、前記取得した接続情報を埋め込んだ電子透かし情報を生成する電子透かし情報生成ステップと、
前記会計情報印刷手段によって、前記生成した会計情報と、前記生成した電子透かし情報と、をレシートに印刷する会計情報印刷ステップと、
から構成されたことを特徴とする会計情報印刷方法。
【発明の詳細な説明】
【技術分野】
【０００１】
本発明は、会計端末、及び会計情報印刷方法に関し、例えば、レシートに電子透かしにて付加的な情報を埋め込むものに関する。
【背景技術】
【０００２】
小売店舗などにおいて、顧客が商品やサービスを購入すると、店舗側は料金の支払いを受け、キャッシュレジスタでレシートを発行する。
レシートには、顧客が購入した商品やサービスの個別の項目と代金、及び合計金額が印刷されており、顧客は支払いを行ったという確認を得ることができ、店舗側は、販売記録を残すことができる。
【０００３】
レシートには、この他に、店舗のロゴや住所・電話番号、会計日時なども印刷され、顧客の便宜を図っている。
また、最近では、印刷をカラー化したり、裏面に広告を印刷することも行われており、限られたスペースにできるだけ多くの情報を盛り込むための努力がなされている。
このように、レシートに付加的な情報を盛り込む発明として、次のものがある。
【０００４】
【特許文献１】特開２０００−２３５６６９
【０００５】
この発明は、レシートに２次元バーコードにて情報を埋め込み、これを用いて商品の返品・交換などの例外的な処理を効率よく行うものである。
【発明の開示】
【発明が解決しようとする課題】
【０００６】
近年、情報配信のメディアは、文字、静止画、動画、音声など、マルチメディア化しているのに対し、レシートで提供できる情報は、限られた狭いスペースに印刷された文字や簡単な図柄程度であった。
また、提供される情報の内容も画一的なものであり、個別の顧客に対応したものではなかった。
【０００７】
そこで、本発明の目的は、レシートを用いてより多様で多量の情報を顧客に提供することである。
【課題を解決するための手段】
【０００８】
本発明は、前記目的を達成するために、顧客が購入した商品を特定する商品情報の入力を受け付けて会計情報を生成する会計情報生成手段と、前記入力を受け付けた商品情報に対応づけられた、所定のサイトへの接続情報を取得する接続情報取得手段と、前記取得した接続情報を埋め込んだ電子透かし情報を生成する電子透かし情報生成手段と、前記生成した会計情報と、前記生成した電子透かし情報と、をレシートに印刷する会計情報印刷手段と、を具備したことを特徴とする会計端末を提供する（第１の構成）。
第１の構成において、前記入力を受け付けた商品情報に対応づけられた接続情報が複数ある場合、前記電子透かし情報生成手段は、当該複数の接続情報のうちの何れかを選択して電子透かし情報を生成するように構成することもできる（第２の構成）。
第１の構成、又は第２の構成において、接続情報サーバから、商品情報と対応づけられた接続情報を受信する接続情報受信手段と、前記受信した接続情報を商品情報との対応付けと共に記憶する接続情報記憶手段と、を具備し、前記接続情報取得手段は、前記接続情報記憶手段から接続情報を取得するように構成することもできる（第３の構成）。
また、本発明は、会計情報生成手段と、接続情報取得手段と、電子透かし情報生成手段と、会計情報印刷手段と、を備えたコンピュータにおいて、前記会計情報生成手段によって、顧客が購入した商品を特定する商品情報の入力を受け付けて会計情報を生成する会計情報生成ステップと、前記接続情報取得手段によって、前記入力を受け付けた商品情報に対応づけられた、所定のサイトへの接続情報を取得する接続情報取得ステップと、前記電子透かし情報生成手段によって、前記取得した接続情報を埋め込んだ電子透かし情報を生成する電子透かし情報生成ステップと、前記会計情報印刷手段によって、前記生成した会計情報と、前記生成した電子透かし情報と、をレシートに印刷する会計情報印刷ステップと、から構成されたことを特徴とする会計情報印刷方法を提供する（第４の構成）。
【発明の効果】
【０００９】
本発明によると、レシートを用いてより多様で多量の情報を顧客に提供することができる。
【発明を実施するための最良の形態】
【００１０】
（１）実施の形態の概要
図１（ａ）は、本実施の形態の会計端末が印刷したレシートの外観の一例を示した図である。
この会計端末は、例えば、飲食店や小売店の店頭にキャッシュレジスタとして設置されており、顧客の買い物の精算処理を行ってレシートを印刷するものである。
【００１１】
レシート１０は、店名エリア１１、注意書きエリア１２、及び会計情報エリア１３などから構成されている。
店名エリア１１には、「居酒屋三太郎」などと、店名がロゴと共に印刷されている。
顧客はこの表示により後ほどレシート１０を確認する際に、何れの店舗によるレシートであるかを確認することができる。
【００１２】
店名エリア１１には、図１（ｂ）に示したように、所定のウェブサイトへの接続情報が電子透かし１４にて埋め込まれている。
接続情報は、例えば、ＵＲＬ（Ｕｎｉｆｏｒｍ  Ｒｅｓｏｕｒｃｅ  Ｌｏｃａｔｏｒｓ）にて構成され、図１（ｂ）の例では「ｈｔｔｐ：／／ｔｏｒｉ．ｃｏｍ」となっている。
【００１３】
電子透かしは、肉眼では認識が困難、又は不能な非可視情報であり、可視情報（ここでは店名）に重畳して印刷することができる。そのため、電子透かしを印刷することにより、狭いスペースを有効に活用することができる。
電子透かしを画像に埋め込む方法としては、電子透かし情報を、画像データの標本値に埋め込む方法や、周波数成分に変換して埋め込む方法など、各種のものが開発され、実用化されている。
【００１４】
注意書きエリア１２（図１（ａ））は、店名エリア１１に電子透かしが埋め込まれていることを顧客に通知する内容が印刷されている。
電子透かしは非可視情報であるため、顧客に電子透かしが印刷されている場所、及び電子透かしの利用方法を示す必要がある。
図の例では、「店名にＵＲＬが埋め込まれています。携帯電話で撮影してみましょう。」と通知が印刷されている。
【００１５】
ここで、顧客の電子透かしの利用方法について説明する。近年、デジタル式カメラを内蔵したインターネット対応の携帯電話が盛んに用いられるようになってきた。
本実施の形態では、このようなデジタル式カメラを内蔵したインターネット対応の携帯電話で、電子透かしで印刷された接続情報に対応したものを利用する。
【００１６】
この携帯電話は、電子透かしで構成された接続情報を内蔵のカメラで撮影すると、撮影された画像データから電子透かしを抽出して接続情報を認識し、当該接続情報で指定されるウェブサイトに自動的に接続する機能を備えている。
【００１７】
店名エリア１１には、顧客が購入した商品に対応づけられた接続情報が電子透かしに埋め込まれており、顧客は、注意書きエリア１２の指示に従って携帯電話で店名エリア１１を撮影すると、自己が購入した商品に関連するウェブサイトに自動的にアクセスすることができる。
【００１８】
例えば、図１（ａ）の例では、店舗「居酒屋三太郎」に焼き鳥を卸している鶏肉業者のウェブサイトへの接続情報が店名エリア１１に埋め込まれており、顧客は、自己が消費した焼き鳥に関する情報を得ることができる。
ウェブサイトでは、例えば、文字、静止画、動画、音声などの各種媒体を用いて顧客に情報を提供することができ、レシートという印刷媒体に制限されることはない。
【００１９】
会計情報エリア１３には、通常のレシートと同様に、購入品目とその数量及び値段、これらの合計金額などの会計情報が印刷されている。
図１（ａ）の例では、品目「ビール」の数量が５本で小計が１５００円、品目「湯豆腐」の数量が５個で小計が２０００円などとなっており、合計金額は６１００円となっている。
また、レシートの発行日時（２００４年６月２９日２０時５分）や、顧客数（３名）などの付加的な情報も印刷されている。
【００２０】
以上のように、本実施の形態では、レシートに接続情報を電子透かしにて埋め込むことにより、ウェブサイト上で多様で多量な情報を提供することができる。
【００２１】
（２）実施の形態の詳細
図２は、本実施の形態の情報配信システムのシステム構成の一例を示したブロック図である。
情報配信システム１は、接続情報サーバ２、会計端末３、３、…、携帯電話７、及びウェブサーバ８などから構成されている。
以下、会計端末３、３、…を特に区別しない場合は、単に会計端末３と記す。
【００２２】
会計端末３は、店舗の会計場所にキャッシュレジスタとして設置された端末装置である。
会計端末３は、会計情報入力機能、計算機能、電子透かし情報生成機能、印刷機能、販売データ記憶機能、接続情報ダウンロード機能などの各機能を備えている。
以下にこれらの機能について説明する。
【００２３】
［会計情報入力機能］
会計端末３は、文字キー、テンキー、その他のキー、バーコード読み取り装置などの入力装置を備えており、店舗の担当者が顧客の購入した商品・サービス（以下、単に商品）を入力できるようになっている。
【００２４】
また、会計端末３は、店舗で販売している商品を商品コード、単価などと共に商品データベースで記憶しており、担当者から入力された入力情報（押されたキーや読み取ったバーコード情報など）を商品データベースと照合し、顧客が購入した商品と個数を特定する。
【００２５】
図３に商品データベースの論理的な構成の一例を示す。
図に示したように、商品データベースは、商品コード２１、商品名２２、価格２３、…、接続情報２５などの各項目から構成されている。
【００２６】
商品コード２１は、店舗で販売している各商品に一意的に割り当てた識別情報である。
店舗の担当者は、例えば、商品コードと数量を入力することにより、会計端末３に入力情報を入力することができる。
【００２７】
商品名２２は、例えば、「焼き鳥」、「焼き豚」、「枝豆」、…などと、店舗が販売している商品の名称であり、商品コードと対応づけられている。
価格２３は、各商品の単価であり、消費税込みの値となっている。
【００２８】
接続情報２５は、例えば、所定のウェブサイトに接続するための接続情報であり、例えば、ＵＲＬで構成されている。
これら接続情報は、各商品と対応づけられており、各商品に関連する情報をウェブサイトで提供できるようになっている。
【００２９】
［計算機能］
会計端末３（図２）は、店舗の担当者から商品コードと数量の入力を受け付けると、これらの金額を合計して合計金額を表示装置に表示する。顧客は、表示された金額を支払うことになる。
【００３０】
［電子透かし情報生成機能］
店舗の担当者は顧客から代金を受け取るとレシート発行ボタンを押すなどして、会計端末３にレシートの発行を要求できるようになっている。
会計端末３は、レシートを発行する際に、商品データベースで顧客が購入した商品に対応づけられている接続情報のうちから何れかを選択する。
【００３１】
選択方法としては各種考えられ、例えば、購入金額の最も多い商品の接続情報を選択したり、あるいは、ランダムに選択したり、更には、各商品が平均的に選択されるようにしたりすることができる。
又は、商品に優先順位付けを行い、顧客が購入した商品のうち、優先順位の高いものの接続情報を選択するように構成することもできる。
【００３２】
会計端末３は、レシートに印刷する接続情報を選択すると、店名エリア１１に店舗名に選択した接続情報を電子透かしとして埋め込んで、電子透かし情報を生成する。
ここで電子透かし情報は、例えば、接続情報を非可視情報として埋め込んだ、店舗名を印刷するための画像データである。
【００３３】
［印刷機能］
会計端末３は、電子透かし情報を生成すると、電子透かし情報と会計情報をレシートに印刷して出力する。
レシートは、会計端末３に内蔵されたカッターにより切断され、店舗の担当者により顧客に渡される。
【００３４】
［販売データ記憶機能］
会計端末３は、レシートに印刷した内容を販売データとして販売データベースに記録する。
即ち、販売データベースには、販売した商品の商品コード、数量、日時、印刷した接続情報、その他の情報が蓄積される。
店舗は、販売データベースを検索することにより、販売実績を統計的に分析することができる。
【００３５】
［接続情報ダウンロード機能］
会計端末３は、インターネットを介して接続情報サーバ２に接続することができる。
会計端末３は、例えば１日に一回程度、接続情報サーバ２にアクセスし、最新の接続情報をダウンロードする。このように会計端末３は、接続情報受信手段を備えている。
【００３６】
接続情報サーバ２が送信する接続情報は、商品コードと対応づけられており、会計端末３は、商品コードを用いて、商品データベースに記録されている接続情報をダウンロードしたものに書き換える。このように会計端末３は、接続情報記憶手段を備えている。
以上の処理により接続情報サーバ２で接続情報が変更になった場合、会計端末３は速やかに最新情報をダウンロードして商品データベースを更新することができる。
【００３７】
［その他の機能］
例えば、チェーン店などのように複数の店舗の売り上げを本部が管理する場合、会計端末３から本部に設置された売り上げ管理サーバ（図示せず）に販売データを送信するように構成することもできる。
【００３８】
この場合、売り上げ管理サーバと会計端末３をインターネットなどのネットワークを介して接続可能に配設する。
そして、締時間（例えば、毎日午前０時）に会計端末３が売り上げ管理サーバにアクセスし、販売データベースに蓄積していた販売データを送信する。
【００３９】
各会計端末３には、端末識別情報が付与してあり、売り上げ管理サーバは、この端末識別情報により、何れの会計端末３から送信されてきた販売データであるかを識別できるようになっている。
【００４０】
売り上げ管理サーバは、各会計端末３から販売データを受信して蓄積し、各店舗の売り上げを管理することができる。
【００４１】
次に、接続情報サーバ２（図２）について説明する。
接続情報サーバ２は、接続情報入力機能、接続情報配信機能などを備えている。
［接続情報入力機能］
情報配信システム１の運営事業者（以下、配信事業者）は、ウェブサイトの運営者からの依頼を受けて接続情報のメンテナンスを行う。
接続情報サーバ２は、ディスプレイ、プリンタなどの出力装置や、キーボード、マウスなどの入力装置を備えている。
【００４２】
配信事業者は、各商品を卸している事業者（以下、商品事業者）から接続情報を取得し（例えば、郵送、ファックス、電子メールなどの通信手段を用いる）、商品コードに対応づけて接続情報を入力する。
接続情報サーバ２は、各商品と接続情報を対応づけて記憶した接続情報データベースを備えており、配信事業者のメンテナンスにより、接続情報が最新のものになるように管理される。
【００４３】
［接続情報配信機能］
接続情報サーバ２は、会計端末３からアクセスを受け付ける。そして、会計端末３から接続情報の要求を受けると、会計端末３に接続情報データベースに記憶してある接続情報を商品コードに対応づけて送信する。
【００４４】
次に、携帯電話７について説明する。
図４は、携帯電話の外観の一例を示した図である。
携帯電話７は、カメラ３７、表示部３２、操作キー３８、入力キー３４などを備えている。
【００４５】
また、図示しないが、携帯電話７の内部には、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などから構成される情報処理部と、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）で構成され、各種プログラムやデータを記憶する読み書き可能な記憶媒体を内蔵している。
【００４６】
携帯電話７のＣＰＵは、ＲＯＭやその他の記憶媒体に記憶されたプログラムに従って各種の情報処理を行う。
ＲＡＭは、例えば、ＣＰＵがレシートの画像データから電子透かしで構成された接続情報を抽出したり、抽出した接続情報を用いてウェブサイトへ接続したりする際のワーキングメモリを提供する。
【００４７】
記憶媒体には、画像処理により電子透かしを抽出する機能、抽出した電子透かしから接続情報を取得する機能、抽出した接続情報で指定されたウェブサイトに自動接続する機能などをＣＰＵに発揮させる自動接続プログラムや、インターネット上のウェブサイトを利用するためのブラウザプログラムなどが記憶されている。
【００４８】
携帯電話７のＣＰＵは、顧客が操作キー３８、入力キー３４から入力した情報や、カメラ３７から入力された情報を、記憶媒体に記憶されたプログラムに従って情報処理し、その結果、インターネットを介してサーバと通信したり、情報処理の結果を表示部３２に表示したりする。
【００４９】
カメラ３７は、レンズなどからなる光学系と、光学系により投影された被写体の画像をデジタルデータに変換するＣＣＤ（Ｃｈａｒｇｅ  Ｃｏｕｐｌｅｄ  Ｄｅｖｉｃｅ）を備えており、顧客は、カメラ３７でレシートを撮影し、レシートに印刷された内容をデジタルデータに変換することができる。
【００５０】
表示部３２は、例えば液晶ディスプレイなどにより構成されており、電話番号など、通話に関する情報を表示するほか、インターネットを介してウェブサイトから送信されてきた各種の画面をブラウザに表示することができる。
【００５１】
操作キー３８は、例えば、表示部３２に表示されたアイコンを選択したり、あるいはリンクを選択したりなど、表示部３２に表示された画面で顧客が各種の画面操作を行うためのキーである。
入力キー３４は、数字、文字、記号などを携帯電話７に入力するためのキーである。
【００５２】
以上のように構成された携帯電話７によって、デジタルデータ化されたレシートの画像から電子透かしで記録された接続情報を抽出し、これを用いてウェブサイトに自動接続することができる。
【００５３】
なお、本実施の形態は、顧客は携帯電話７を用いて商品事業者のウェブサイトにアクセスするように構成したが、顧客が用いる端末装置は携帯電話７に限定するものではなく、携帯電話７と同様の機能（デジタル画像から電子透かしで形成された接続情報を抽出し、ウェブサイトに自動接続する機能）を備えたＰＤＡ（Ｐｅｒｓｏｎａｌ  Ｄｉｇｉｔａｌ  Ａｓｓｉｓｔａｎｔ）、その他の携帯端末、あるいはパーソナルコンピュータなど据え置き型の端末装置を用いることも可能である。
【００５４】
次に、ウェブサーバ８（図２）について説明する。
ウェブサーバ８は、店舗が販売する商品を卸している商品事業者が設置したウェブサイトを運営するウェブサーバである。
図２では、ウェブサーバ８を１台のみ示してあるが、これは複数台存在することができる。
【００５５】
商品事業者は、自己のウェブサイトを運営すると共に、当該ウェブサイトの接続情報を配信事業者に通知し、レシートに印刷してもらう。
商品事業者は、ウェブサイトを用いて顧客に自社の宣伝広告やその他のサービスを提供することができる。
【００５６】
図５は、商品事業者のウェブサイトで提供されるトップ画面の一例である。
このウェブサイトは、図１のレシートを発行した店舗（居酒屋三太郎）に焼き鳥を卸している鶏肉加工業者が提供しているものであり、携帯電話７の表示部３２（図４）に表示されるものである。
【００５７】
この画面では、「にわとり牧場見学ツアー」といった養鶏所見学への招待や、卵の産地視直送販売の広告、及び、養鶏所の所在地などの各項目が表示されている。顧客は、これらの項目を選択し、より詳細な情報を取得することができる。
【００５８】
顧客は、事業者のウェブサイトを訪れることにより、自己が消費した鶏肉がどこでどのように生産されたものかを知ることができ、安心感を得ることができる。
また、自己が消費した商品に関連する商品（図の例では卵）を知ることができ、商品事業者にとっては商品提供の機会が増え、顧客にとっては、良い商品の購入機会が増える。
【００５９】
図５の例は、鶏肉に関するものであるが、この他に生鮮食料品（刺身など）、加工食品（豚肉・牛肉など）、医薬品など、顧客の健康に関わる製品の場合、ウェブサイトでこれらの情報を提供することにより、顧客の安心感を高めることができる。
【００６０】
なお、本実施の形態では、各商品に接続情報を対応づけてこれをレシートに電子透かしにて印刷したが、これに限定せず、各商品のウェブサイトへリンクしたポータルサイト（例えば、配信事業者が運営する）への接続情報を印刷するように構成することもできる。
このように構成すると、何れの顧客もまずポータルサイトにアクセスし、ポータルサイトで一覧される商品事業者のウェブサイトのうちから興味のあるものを選択することができる。
【００６１】
次に、図６のフローチャートを用いて、レシートの発行から顧客がウェブサイトにアクセスするまでの手順を説明する。
まず、顧客は、店舗で買い物を行い、精算所で代金の支払いを申し込む。精算所には会計端末３が設置されており、担当者が商品コードと販売個数を入力する。
【００６２】
会計端末３は、担当者からの入力された入力情報を取得する（ステップ５）。
会計端末３は、担当者から入力された商品コードを商品データベースで照合し、会計情報を生成する（ステップ１０）。これは会計端末３が備えた会計情報生成手段による。
会計情報は、各商品コードごとの、単価、販売個数、及び販売代金の合計金額などから構成されている。
【００６３】
次に、会計端末３は、顧客が購入した商品のうち、何れかの商品に対応づけられた接続情報を商品データベースより選択して取得する（ステップ１５）。これは、会計端末３が備えた接続情報取得手段による。
次に、会計端末３は、取得した接続情報を店名エリア１１（図１）に印刷する画像データ電子透かしとして埋め込んで、電子透かし情報を生成する（ステップ２０）。これは、会計端末３が備えた電子透かし情報生成手段による。
そして、会計端末３は、会計情報と電子透かし情報を用いてレシートを印刷する（ステップ２５）。これは、会計端末３が備えた会計情報印刷手段による。
【００６４】
店舗の担当者は、会計端末３から出力されたレシートを顧客に渡す。顧客は、注意書きエリア１２（図１）の指示に従って、携帯電話７でレシートを撮影する。これにより、携帯電話７は、レシートの画像データを取得する（ステップ３０）。
【００６５】
次に、携帯電話７は、レシートの画像データに対して画像処理を行い、電子透かしで形成された接続情報を抽出する（ステップ３５）。
そして、携帯電話７は、抽出した接続情報を用いて商品事業者のウェブサイトにアクセスする（ステップ４０）。
【００６６】
ウェブサーバ８は、携帯電話７からのアクセスを受け、当該ウェブサイトのトップ画面の画面データを携帯電話７に送信する（ステップ４５）。
携帯電話７は、ウェブサーバ８より画面データを受信し、これを用いて表示部３２に画面を表示する（ステップ５０）。
【００６７】
図７は、会計端末３のハードウェア的な構成の一例を示したブロック図である。
会計端末３は、ＣＰＵ４５、ＲＯＭ４６、ＲＡＭ４７、入力部４８、表示部４９、通信制御部５１、印刷部５２、記憶媒体駆動部５３、記憶部５４などの各機能部がバスライン５５で接続されて構成されている。
【００６８】
ＣＰＵ４５は、所定のプログラムに従って、各種の演算処理、及び情報処理や会計端末３を構成する各構成要素の制御を行ったりする中央処理装置である。
本実施の形態では、例えば、接続情報サーバ２から接続情報をダウンロードして商品データベースに記録されている接続情報を更新したり、店舗の担当者からの入力情報により会計処理を行って会計情報を生成したり、接続情報を選択して電子透かし情報を生成したり、あるいは、会計情報と接続情報を用いてレシートを印刷したりなどする。
【００６９】
ＲＯＭ４６は、会計端末３を動作させるための基本的なプログラムやデータなどを記憶した読み出し専用のメモリである。
ＲＡＭ４７は、ＣＰＵ４５が動作するためのワーキングエリアを提供する読み書き可能なメモリである。
【００７０】
入力部４８は、会計端末３に情報を入力するための機能部であり、商品コードを入力するためのキーや、バーコード読み取り装置、その他の入力装置を備えている。
【００７１】
表示部４９は、文字情報や画像情報を表示する表示装置を備えており、例えば、会計情報による合計金額を顧客に表示する。
表示装置は、例えば、液晶ディスプレイ、プラズマディスプレイ、その他のディスプレイ装置で構成されている。
【００７２】
通信制御部５１は、会計端末３をインターネットに接続する機能部である。会計端末３は、通信制御部５１を介して、接続情報サーバ２と通信を行うことができる。
また、本部の売り上げ管理サーバが売り上げを管理している場合、会計端末３は、通信制御部５１を介して売り上げ管理サーバに接続し、売り上げなどの販売データを送信することができる。
【００７３】
印刷部５２は、レシートを印刷する印刷装置である。印刷部５２は、ＣＰＵ４５より印刷データを取得し、これをレシート（紙などで構成された印刷媒体）に印刷する。
印刷部５２は、例えば、レーザプリンタ、インクジェットプリンタ、ダイレクトサーマルプリンタなどの各種印刷装置により構成することができる。
【００７４】
記憶媒体駆動部５３は、装着された着脱可能な記憶媒体を駆動し、データの読み書きを行う機能部である。
読み書き可能な記憶媒体としては、例えば、フレキシブルディスク、光磁気ディスク、半導体記憶装置、磁気テープ、紙テープがある。
また、読み取り専用の記憶媒体としては、例えば、ＣＤ−ＲＯＭなどの光ディスク類がある。
【００７５】
会計端末３は、記憶媒体駆動部５３に装着した記憶媒体からプログラムのインストールなどを行うことができるほか、記憶媒体に対して蓄積した販売データを書き込むこともできる。
【００７６】
記憶部５４は、例えば、ハードディスクなどで構成された大容量で読み書き可能な記憶装置である。
記憶部５４には、プログラム類を格納したプログラム部５６とデータ類を記憶したデータ部５７が形成されている。
【００７７】
図７（ｂ）に示したように、プログラム部５６には、ＯＳ（Ｏｐｅｒａｔｉｎｇ  Ｓｙｓｔｅｍ）６１、通信プログラム６２、レシート発行プログラム６３、…などの各種プログラムがＣＰＵ４５で実行可能に記憶されている。
【００７８】
ＯＳ６１は、ファイル入出力の管理や各種機能部を制御するなど、会計端末３を運営する基本的な機能をＣＰＵ４５に発揮させるためのプログラムである。
通信プログラム６２は、通信制御部５１を制御し、インターネットを介した通信を行うための機能をＣＰＵ４５に発揮させるためのプログラムである。
【００７９】
レシート発行プログラム６３は、会計端末３にレシートの発行を行わせるためのプログラムであり、会計情報の生成、電子透かし情報の生成、及びレシートの印刷などの処理を行うためのプログラムである。
【００８０】
データ部５７には、商品データベース６５、販売データベース６６など、各種のデータベースが格納されている。
【００８１】
以上、会計端末３のハードウェア的な構成について説明したが、接続情報サーバ２、携帯電話７、ウェブサーバ８のハードウェア的な構成も基本的に同様である。
【００８２】
接続情報サーバ２は、商品事業者より取得した接続情報を管理する接続情報データベースを記憶しており、また、担当者が接続情報データベースをメンテナンスするための入出力装置を備えている。
ウェブサーバ８は、サーバプログラムがインストールされており、商品事業者のウェブサイトを提供している。
【００８３】
以上、本実施の形態について説明したが、これにより次のような効果を得ることができる。
（１）レシートに接続情報を電子透かしで印刷することができる。
（２）レシート上で可視情報に重ね合わせて電子透かしを印刷するため、印刷スペースを節約することができる。
（３）顧客が購入した商品に対応づけられた接続情報をレシートに印刷することにより、顧客に個別な情報を提供することができる。
（４）商品の付加的な情報をウェブサイトで提供するため、印刷媒体に制限されない情報提供を行うことができる。
（５）商品事業者は、ウェブサイト上で自社製品の広告を行ったり、顧客にサービスを行ったりすることができる。
【図面の簡単な説明】
【００８４】
【図１】レシートの外観の一例を示した図である。
【図２】本実施の形態の情報配信システムのシステム構成の一例を示したブロック図である。
【図３】商品データベースの論理的な構成の一例を示す。
【図４】携帯電話の外観の一例を示した図である。
【図５】商品事業者のウェブサイトで提供されるトップ画面の一例である。
【図６】レシートの発行から顧客がウェブサイトにアクセスするまでの手順を説明するためのフローチャートである。
【図７】会計端末のハードウェア的な構成の一例を示したブロック図である。
【符号の説明】
【００８５】
１  情報配信システム
２  接続情報サーバ
３  会計端末
７  携帯電話
８  ウェブサーバ
１０  レシート
【図１】
2006067482.tif 000003
【図２】
2006067482.tif 000004
【図３】
2006067482.tif 000005
【図４】
2006067482.tif 000006
【図５】
2006067482.tif 000007
【図６】
2006067482.tif 000008
【図７】
2006067482.tif 000009